(57)【要約】【課題】  乗客コンベアのステップに設けられたローラの速度むらに起因する振動を抑制するための振動抑制レールの取り付け作業を精度良くかつ作業性良く行えるようにする。【解決手段】  乗客コンベアの駆動スプロケット３の歯１ａ、１ｂ、１ｃを駆動スプロケット３の回転中心に対して所定位置に位置決めするとともにその状態で駆動スプロケット３を回転しないように固定し、位置決め用治具１０の切欠部１０ｃ、テーパ面１０ｄ、１０ｅを歯１ａ、１ｂ、１ｃに係合させることにより高さ方向位置決め部１０ａ及び長さ方向位置決め部１０ｂを駆動スプロケット３に対して位置決めし、振動抑制レール５のローラ転動面５ａを高さ方向位置決め部１０ａ、振動抑制レール５の一端を長さ方向位置決め部５ｂに当接させることにより振動抑制レール５を高さ方向及び長さ方向に位置決めする。【選択図】      図１
2006137536.tif 000002
【特許請求の範囲】
【請求項１】
多数のステップに設けられたローラを無端状のチェーンによって所定ピッチで連結し、前記チェーンの一方の折り返し端部に噛合した駆動スプロケットを回転駆動するとともに前記各ローラをレールで案内することにより前記各ステップを所定の経路に沿って循環移動させ、前記駆動スプロケットの近傍に配置された振動抑制レールに設けられた凸部又は凹部で前記各ローラを上方又は下方に変位させるようにした乗客コンベアの前記振動抑制レールを前記駆動スプロケットに対して所定位置に位置決めするものであって、
前記振動抑制レールの所定箇所を当接させることにより前記振動抑制レールを所定方向に位置決めするための位置決め部と、
前記駆動スプロケットの一部の歯に係合させることにより前記位置決め部を前記駆動スプロケットに対して位置決めする係合部と、
を具備することを特徴とする乗客コンベアの振動抑制レールの位置決め用治具。
【請求項２】
前記振動抑制レールは、前記チェーンが前記駆動スプロケットに噛合する直前の位置に配置され、前記位置決め部は、前記振動抑制レールのローラ転動面を当接させることにより前記振動抑制レールを高さ方向に位置決めするための高さ方向位置決め部と、前記振動抑制レールの一端を当接させることにより前記振動抑制レールを長さ方向に位置決めするための長さ方向位置決め部とから成ることを特徴とする請求項１記載の乗客コンベアの振動抑制レールの位置決め用治具。
【請求項３】
前記振動抑制レールは、前記チェーンが前記駆動スプロケットから離れた直後の位置に配置され、前記位置決め部は、前記振動抑制レールのローラ転動面を当接させることにより前記振動抑制レールを高さ方向に位置決めするためのものであることを特徴とする請求項１記載の乗客コンベアの振動抑制レールの位置決め用治具。
【請求項４】
多数のステップに設けられたローラを無端状のチェーンによって所定ピッチで連結し、前記チェーンの一方の折り返し端部に噛合した駆動スプロケットを回転駆動するとともに前記各ローラをレールで案内することにより前記各ステップを所定の経路に沿って循環移動させ、前記駆動スプロケットの近傍に配置された振動抑制レールに設けられた凸部又は凹部で前記各ローラを上方又は下方に変位させるようにした乗客コンベアの前記振動抑制レールを前記駆動スプロケットに対して所定位置に位置決めする方法であって、
前記駆動スプロケットの一部の歯を前記駆動スプロケットの回転中心に対して所定位置に位置決めするとともにその状態で前記駆動スプロケットを回転しないように固定し、請求項１記載の位置決め用治具の係合部を前記一部の歯に係合させることにより前記位置決め部を前記駆動スプロケットに対して位置決めし、前記振動抑制レールの所定箇所を前記位置決め部に当接させることにより前記振動抑制レールを所定方向に位置決めすることを特徴とする乗客コンベアの振動抑制レールの位置決め方法。
【請求項５】
前記振動抑制レールの位置を前記所定方向に調整する調整機構を設けたことを特徴とする請求項４記載の乗客コンベアの振動抑制レールの位置決め方法。
【発明の詳細な説明】
【技術分野】
【０００１】
本発明は、エスカレータや動く歩道等の乗客コンベアにおけるステップの前後振動を抑制するための振動抑制レールを駆動スプロケットに対して位置決めする位置決め用治具及び該位置決め用治具を用いた振動抑制レールの位置決め方法に関する。
【背景技術】
【０００２】
図７は、乗客を載せるステップ（図示せず）の前後振動を抑制する振動抑制レールを備えた乗客コンベアの一例の要部側面図である。
【０００３】
この乗客コンベアは、多数のステップの前部に設けられたローラ１０１を無端状のチェーン１０２によって所定ピッチで連結し、チェーン１０２の一方の折り返し端部に噛合した駆動スプロケット１０３を回転駆動するとともに各ローラ１０１をレール１０４乃至１０７で案内することにより各ステップを所定の経路に沿って循環移動させるようにしている。
【０００４】
近年、乗客コンベアの小型化が要望されるようになってきており、建物に据え付けられるトラス（図示せず）の幅を縮小するべく、図７のようにローラ１０１と一体化したチェーン１０２が使用されているが、ローラ１０１に速度むらが生じ、これがステップの前後振動を発生させて乗客コンベアの乗り心地を低下させることがある。
【０００５】
このような振動を抑制するべく、チェーン１０２が駆動スプロケット１０３に噛合する直前の位置や、チェーン１０２が駆動スプロケット１０３から離れた直後の位置に配置されたレール１０５、１０６は、ローラ１０１を上方に変位させる凸部１０５ａ、１０６ａを有する振動抑制レールとすることが不可欠となっている。
【０００６】
なお、振動抑制レール１０５、１０６の上方には押さえレール１０８、１０９が設けられており、凸部１０５ａ、１０６ａの部分を走行するローラ１０１の走行軌跡を規制するようにしている。
【０００７】
従来、振動抑制レール１０５、１０６は、建物に据え付けられたトラスに固定された固定物から垂下した下げ振り１１０を基準として、スケール等の測定器を使用して位置を計測することにより位置決めされ、凸部が設けられていない通常のレール１０４、１０７と接続されていた。
【発明の開示】
【発明が解決しようとする課題】
【０００８】
上述した従来の振動抑制レールの取り付け方法では、振動抑制レールを精度良く取り付けるのが困難であるため振動を十分に抑制することができない場合があり、また取り付け時の作業性も良くないという問題点が有った。
【０００９】
本発明は上記事情に鑑みて創案されたものであり、乗客コンベアのステップに設けられたローラの速度むらに起因する振動を抑制するための振動抑制レールの取り付け作業を精度良くかつ作業性良く行えるようにすることにある。
【課題を解決するための手段】
【００１０】
上記目的を達成するために、第１の発明は、
多数のステップに設けられたローラを無端状のチェーンによって所定ピッチで連結し、前記チェーンの一方の折り返し端部に噛合した駆動スプロケットを回転駆動するとともに前記各ローラをレールで案内することにより前記各ステップを所定の経路に沿って循環移動させ、前記駆動スプロケットの近傍に配置された振動抑制レールに設けられた凸部又は凹部で前記各ローラを上方又は下方に変位させるようにした乗客コンベアの前記振動抑制レールを前記駆動スプロケットに対して所定位置に位置決めするものであって、
前記振動抑制レールの所定箇所を当接させることにより前記振動抑制レールを所定方向に位置決めするための位置決め部と、
前記駆動スプロケットの一部の歯に係合させることにより前記位置決め部を前記駆動スプロケットに対して位置決めする係合部と、
を具備することを特徴とする乗客コンベアの振動抑制レールの位置決め用治具である。
【００１１】
また、第２の発明は、
多数のステップに設けられたローラを無端状のチェーンによって所定ピッチで連結し、前記チェーンの一方の折り返し端部に噛合した駆動スプロケットを回転駆動するとともに前記各ローラをレールで案内することにより前記各ステップを所定の経路に沿って循環移動させ、前記駆動スプロケットの近傍に配置された振動抑制レールに設けられた凸部又は凹部で前記各ローラを上方又は下方に変位させるようにした乗客コンベアの前記振動抑制レールを前記駆動スプロケットに対して所定位置に位置決めする方法であって、
前記駆動スプロケットの一部の歯を前記駆動スプロケットの回転中心に対して所定位置に位置決めするとともにその状態で前記駆動スプロケットを回転しないように固定し、第１の発明の位置決め用治具の係合部を前記一部の歯に係合させることにより前記位置決め部を前記駆動スプロケットに対して位置決めし、前記振動抑制レールの所定箇所を前記位置決め部に当接させることにより前記振動抑制レールを所定方向に位置決めすることを特徴とする乗客コンベアの振動抑制レールの位置決め方法である。
【発明の効果】
【００１２】
本発明によれば、振動抑制レールの取り付け作業を精度良くかつ作業性良く行うことができるため、乗り心地が向上するとともに工期の短縮を図ることができる。
【発明を実施するための最良の形態】
【００１３】
以下、本発明の一実施形態を図面に基づいて説明する。図１は本発明の一実施形態である位置決め用治具を用いて振動抑制レールの取り付けを行う乗客コンベアの要部側面図、図２は図１のＡ−Ａ線断面図、図３は図１のＢ−Ｂ線断面図である。
【００１４】
図１に示す乗客コンベアは、多数のステップ（図示せず）の前部に設けられたローラ１を無端状のチェーン２によって所定ピッチで連結し、このチェーン２の一方の折り返し端部に噛合した駆動スプロケット３を駆動装置（図示せず）で回転駆動するとともに各ローラ１をレール４乃至７で案内することにより各ステップを所定の経路に沿って循環移動させるようにしている。
【００１５】
チェーン２が駆動スプロケット３に噛合する直前の位置に配置されたレール５と、チェーン２が駆動スプロケット２から離れた直後の位置に配置されたレール６は振動抑制レールとなっており、そのローラ転動面５ａ（図２参照）、６ａ（図３参照）にはローラ３を上方に変位させる凸部５ｂ、６ｂが設けられている。各振動抑制レール５、６の上方にはそれぞれ押さえレール８、９が設けられ、凸部５ｂ、６ｂの部分を走行するローラ１の走行軌跡を規制するようにしている。
【００１６】
往路側の振動抑制レール５は位置決め用治具１０を用いて駆動スプロケット３に対して位置決めされる。図４は位置決め用治具１０の側面図、図５は底面図である。
【００１７】
位置決め用治具１０は金属等の剛性を有する材料により細長い直方体状に形成され、その一端側の下面１０ａは平坦で、振動抑制レール５のローラ転動面５ａを当接させることにより振動抑制レール５を高さ方向に位置決めするための高さ方向位置決め部となっている。
【００１８】
また、位置決め用治具１０の他端側には、下方に向けて突出した突起１０ｂが設けられ、振動抑制レール５の一端を当接させることにより振動抑制レール５を長さ方向に位置決めするための長さ方向位置決め部となっている。
【００１９】
さらに、位置決め用治具１０の他端側には、駆動スプロケット３の一つの歯３ａを受け入れる切欠部１０ｃと、この切欠部１０ｃに歯１ａが挿入された状態で歯１ａの両側の歯１ｂ、１ｃの側面に接するように形成されたテーパ面１０ｄ、１０ｅとが設けられている。これら切欠部１０ｃ、テーパ面１０ｄ、１０ｅによって、高さ方向位置決め部１０ａ及び長さ方向位置決め部１０ｂが駆動スプロケット３に対して位置決めされる。
【００２０】
振動抑制レール５は、調整機構１１によって高さ方向及び長さ方向に移動させて位置決め用治具１０に当接するように位置決めする。
【００２１】
この調整機構１１は、二つの断面Ｌ字形のアングル１２、１３の側壁同士を重ね合わせることにより断面Ｔ字形に形成され、図示しないトラスに固定されたブラケット１４と、このブラケット１４の一方のアングル１２の頂壁に上下方向に貫通するように設けられたネジ穴（図示せず）に下方から螺着され、先端が振動抑制レール５の下面に当接したジャッキボルト１５と、ブラケット１４の他方のアングル１３の頂壁上面に固定された断面Ｌ字形のアングル１６と、このアングル１６の側壁に水平かつ軸線まわりに回転可能に取り付けられたジャッキボルト１７と、レール５の他端に固定され、ジャッキボルト１７の先端が螺合するネジ穴（図示せず）が形成されたコマ１８とを備えている。
【００２２】
ジャッキボルト１５をアングル１２の上方に突出する方向に回転させることで、振動抑制レール５が上昇し、ジャッキボルト１５を反対方向に回転させることで振動抑制レール５が下降する。
【００２３】
また、ジャッキボルト１７をアングル１６の左側に突出する方向に回転させることで振動抑制レール５が左方向に移動し、ジャッキボルト１７を反対方向に回転させることで振動抑制レール５が右方向に移動する。
【００２４】
押さえレール８は、調整機構１９、２０によって高さ方向及び長さ方向に移動させて位置決めする。
【００２５】
調整機構１９は、トラスに固定された断面Ｌ字形のアングル２１と、このアングル２１の頂壁に垂直かつ軸線まわりに回転可能に取り付けられたジャッキボルト２２と、押さえレール８の上面に固定され、ジャッキボルト２２の先端が螺合するネジ穴（図示せず）が形成されたコマ２３と、押さえレール８の上面に固定された断面Ｌ字形のアングル２４と、このアングル２４の側壁に水平かつ軸線まわりに回転可能に取り付けられ、先端がアングル２１の側壁に形成されたネジ穴（図示せず）に螺合したジャッキボルト２５とを備えている。
【００２６】
ジャッキボルト２２をアングル２１の上方に突出する方向に回転させることで、押さえレール８が上昇し、ジャッキボルト２２を反対方向に回転させることで押さえレール８が下降する。
【００２７】
また、ジャッキボルト２５をアングル２４の左側に突出する方向に回転させることで押さえレール８が左方向に移動し、ジャッキボルト２４を反対方向に回転させることで押さえレール８が右方向に移動する。
【００２８】
調整機構２０は、トラスに固定され、上下に貫通する貫通穴（図示せず）が設けられた支持部材２６と、押さえレール８上に立設され、支持部材２６の貫通穴を貫通するとともに外周部にネジ山が形成されたスタッド２７と、支持部材２６を挟み込むようにスタッド２７に螺着された上下一対のナット２８とから成っている。
【００２９】
ナット２８をスタッド２７が支持部材２６の上方に突出する方向に回転させることで押さえレール８が上方に移動し、ナット２８を反対方向に回転させることで押さえレール８が下降する。
【００３０】
また、復路側の振動抑制レール６は位置決め用治具２９を用いて駆動スプロケット３に対して位置決めされる。図６は位置決め用治具２９の側面図である。
【００３１】
位置決め用治具２９は金属等の剛性を有する材料により略直方体状に形成され、上部の両側が斜めにカットされてテーパ面２９ａ、２９ｂを形成している。これらのテーパ面２９ａ、２９ｂは、位置決め用治具２９を二つの歯１ｄの１ｅの間に位置させたとき、歯１ｄ、１ｅの側面と密着するように形成されている。
【００３２】
また、位置決め用治具２９の底面は平坦に形成され、振動抑制レール６のローラ転動面６ａを当接させることにより振動抑制レール６を高さ方向に位置決めする高さ方向位置決め部２９ｃとなっている。
【００３３】
本実施形態における振動抑制レール５の位置決め方法を説明する。
【００３４】
まず、駆動スプロケット３の一つの歯１ａとその一方の側に隣接する歯１ｂの間の歯底の中心が駆動スプロケット３の回転軸３ａの中心の垂直上方に位置するように位置決めするとともにその状態で駆動スプロケット３を回転しないように固定する。
【００３５】
次に、位置決め用治具１０の切欠部１０ｃを歯１ａに係合させるとともにテーパ面１０ｄ、１０ｅを歯１ａの両側の歯１ｂ、１ｃの側面にそれぞれ当接させて位置決め用治具１０を駆動スプロケット３上に装着する。
【００３６】
そして、調整機構１１のジャッキボルト１５、１７を操作して振動抑制レール５を高さ方向及び長さ方向に移動させ、位置決め用治具１０の高さ方向位置決め部１０ａ及び長さ方向位置決め部１０ｂに当接するように位置決めする。位置決めされた振動抑制レール５は隣接する通常のレール４と接続される。
【００３７】
このように、位置決め用治具１０を用いて振動抑制レール５の位置決めを行うようにしたことことで、スケール等で測定しながら位置決めを行う場合と比べて振動抑制レール５の取り付け作業を容易かつ精度良く行うことができる。
【００３８】
また、調整機構１１を用いて振動抑制レール５の位置を微調整するようにしたことで、人手で直接振動抑制レール５を移動させる場合と比べて作業性が向上するとともに位置決め精度も向上する。
【００３９】
なお、この位置決め用治具１０は、他の方法で位置決めされた振動抑制レール５の取り付け位置の確認に用いることもできる。
【００４０】
振動抑制レール６を位置決めする場合には、位置決め用治具２９の底面２９ｃが振動抑制レール６のローラ転動面６ａに当接するように載置する。
【００４１】
次に、振動抑制レール６を上昇させてテーパ２９ａ、２９ｂが歯１ｄ、１ｅの側面に係合させる。これにより振動抑制レール６が高さ方向に位置決めされる。位置決めされた振動抑制レール６は隣接する通常のレール７と接続される。
【００４２】
この場合も、測定器で振動抑制レール６の高さを測定して位置決めする場合と比べて振動抑制レール６を容易かつ精度良く位置決めすることができる。
【００４３】
なお、上記実施形態では、ステップのローラを上方に変位させる凸部を設けた振動抑制レールを位置決めする場合について説明したが、本発明は、ステップのローラを下方に変位させる凹部を設けた振動抑制レールを位置決めする場合にも適用することができる。
【００４４】
その他にも本発明の要旨を逸脱しない範囲で上記実施形態に種々の改変を施すことができる。
【図面の簡単な説明】
【００４５】
【図１】本発明の一実施形態である位置決め用治具を用いて振動抑制レールの取り付けを行う乗客コンベアの要部側面図である。
【図２】図１のＡ−Ａ線断面図である。
【図３】図１のＢ−Ｂ線断面図である。
【図４】往路側の振動抑制レールの位置決め用治具の側面図である。
【図５】図４の位置決め用治具の底面図である。
【図６】復路側の振動抑制レールの位置決め用治具の側面図である。
【図７】従来の振動抑制レールの位置決め方法の説明図である。
【符号の説明】
【００４６】
１    ローラ
２    チェーン
３    駆動スプロケット
５    振動抑制レール
５ｂ  凸部
６    振動抑制レール
６ｂ  凸部
１０    位置決め用治具
１０ａ  高さ方向位置決め部
１０ｂ  長さ方向位置決め部
１０ｃ  切欠部（係合部）
１０ｄ  テーパ面（係合部）
１０ｅ  テーパ面（係合部）
２９    位置決め用治具
２９ａ  テーパ面（係合部）
２９ｂ  テーパ面（係合部）
２９ｃ  高さ方向位置決め部
【図１】
2006137536.tif 000003
【図２】
2006137536.tif 000004
【図３】
2006137536.tif 000005
【図４】
2006137536.tif 000006
【図５】
2006137536.tif 000007
【図６】
2006137536.tif 000008
【図７】
2006137536.tif 000009